(57)【要約】【課題】地震による強い揺れに対してや熱に対して強固にすることを目的とした照明器具を提供すること。【解決手段】設置面側に配されているソケット５７に接続される口金本体２と、前記口金本体２から電源が供給されて下面側に配設されている光源を駆動点灯させる器具本体３とを備える照明器具本体１である。器具本体３は、長さ全体として柔軟性を有するチェーンからなる吊設体４により前記口金本体２から吊設されている。これにより、地震による強い振動により照明器具本体１が大きく揺れても、全体として柔軟な吊設体４により応力を逃がすことで、口金本体２には応力がかからず口金本体２を破損することもなく、地震等の振動に対して強固な照明器具本体１を提供することができる。【選択図】図１
2018055956.tif 000002
【特許請求の範囲】
【請求項１】
設置面側に配されているソケット（５７）に接続される口金本体（２）と、
前記口金本体（２）から電源が供給されて下面側に配設されている光源を駆動点灯させる器具本体（３）とを備え、
前記器具本体（３）は、長さ全体として柔軟性を有する吊設体（４）により前記口金本体（２）から吊設されている
ことを特徴とする照明器具。
【請求項２】
前記吊設体（４）を、金属製のチェーンとしていることを特徴とする請求項１に記載の照明器具。
【請求項３】
前記ソケット（５７）は、設置面に既設されているソケットであることを特徴とする請求項１または請求項２に記載の照明器具。
【発明の詳細な説明】
【技術分野】
【０００１】
本発明は、光源にＬＥＤ（発光ダイオード）を用いた照明器具に関するものである。
【背景技術】
【０００２】
現在、市場には省エネルギー化、長寿命化を目的として光源にＬＥＤを用いた照明器具が多数提供されている。この種の光源にＬＥＤを用いた照明器具としては、例えば、特許文献１が挙げられる。
【先行技術文献】
【特許文献】
【０００３】
【特許文献１】特開２０１２−１６０２６８号公報
【０００４】
図１５は上記特許文献１に記載の照明器具本体６１の正面図を示し、また、図１６は照明器具本体６１の底面図を示している。この照明器具本体６１は、上部に口金６２を設けた筒体６３と、周囲に複数枚の放熱フィン６４を備えたケース本体６５とで主に構成されている。
なお、筒体６３とケース本体６５とはネジ止めにて一体的に接続されて照明器具本体６１の外殻を構成している。
【０００５】
ケース本体６５の下部には多数の発光ダイオードを実装した基板（図示せず）が配設されており、図１６に示すように、該基板の下面側にはレンズ本体６７が配設されている。そして、レンズ本体６７には、上記発光ダイオードに対応してレンズ部６６が形成されている。
上記基板に実装されている発光ダイオードからの光線は、レンズ本体６７の各レンズ部６６を介して下方に照射されるものであり、この照射における拡散角度は、該レンズ部６６の曲率に応じて適宜絞られて下方に照射されるようになっている。
【発明の概要】
【発明が解決しようとする課題】
【０００６】
本照明器具本体６１は、天井下面に設けられているソケットに口金６２を螺着することで、該照明器具本体６１が設置されることになる。照明器具本体６１をソケットに装着している状態で、地震による振動が照明器具本体６１に与えることになる。
特に、従来では照明器具本体６１の筒体６３を樹脂製としていたために、強い揺れの場合には筒体６３にひびが入ったり、最悪の場合では筒体６３を破損してしまうという問題があった。つまり、口金６２を一体的に設けている筒体６３とケース本体６５とが一体的になっているために振動（揺れ）に弱いという問題を有している。また、筒体６３が樹脂製のために熱にも強くないという問題もある。
【０００７】
本発明は上述の問題点に鑑みて提供したものであって、地震による強い揺れに対してや熱に対して強固にすることを目的とした照明器具を提供するものである。
【課題を解決するための手段】
【０００８】
そこで、本発明の請求項１に記載の照明器具では、設置面側に配されているソケット５７に接続される口金本体２と、前記口金本体２から電源が供給されて下面側に配設されている光源を駆動点灯させる器具本体３とを備え、前記器具本体３は、長さ全体として柔軟性を有する吊設体４により前記口金本体２から吊設されていることを特徴としている。
【０００９】
請求項２に記載の照明器具では、前記吊設体４を、金属製のチェーンとしていることを特徴としている。
【００１０】
請求項３に記載の照明器具では、前記ソケット５７は、設置面に既設されているソケットであることを特徴としている。
【発明の効果】
【００１１】
本発明の請求項１に記載の照明器具によれば、設置面側に配されているソケット５７に接続される口金本体２と、前記口金本体２から電源が供給されて下面側に配設されている光源を駆動点灯させる器具本体３とを備え、前記器具本体３は、長さ全体として柔軟性を有する吊設体４により前記口金本体２から吊設されていることで、地震による強い振動により照明器具本体１が大きく揺れても、全体として柔軟な吊設体４により応力を逃がすことで、口金本体２には応力がかからず口金本体２を破損することもなく、地震等の振動に対して強固な照明器具本体１を提供することができる。
【００１２】
請求項２に記載の照明器具によれば、前記吊設体４を、金属製のチェーンとしているので、器具本体と樹脂製の筒体とが一体的となっていた従来例と比べて熱に対して強固にすることができる。
【００１３】
請求項３に記載の照明器具によれば、前記ソケット５７は、設置面に既設されているソケットであるので、既設のソケット（ソケット５７）に設置することができ、既設の設備を流用することができる。
【図面の簡単な説明】
【００１４】
【図１】本発明の実施の形態における照明器具本体の斜め上から見た斜視図である。
【図２】本発明の実施の形態における照明器具本体の斜め上から見た斜視図である。
【図３】本発明の実施の形態における照明器具本体の正面図である。
【図４】本発明の実施の形態における照明器具本体の平面図である。
【図５】本発明の実施の形態における照明器具本体の底面図である。
【図６】本発明の実施の形態における照明器具本体の要部拡大斜視図である。
【図７】本発明の実施の形態における口金本体の平面図である。
【図８】本発明の実施の形態における図７のＡ−Ａ断面図である。
【図９】本発明の実施の形態における口金本体の底面図である。
【図１０】本発明の実施の形態における口金本体の正面図である。
【図１１】本発明の実施の形態における口金本体の側面図である。
【図１２】本発明の実施の形態における天井面から垂設されているソケット本体に照明器具本体を吊設した状態を示す図である。
【図１３】本発明の実施の形態における天井面から垂設されているソケット本体に照明器具本体を吊設した状態を斜め上から見た斜視図である。
【図１４】本発明の実施の形態における天井面から垂設されているソケット本体にセード付きの照明器具本体を吊設した状態を示す断面図である。
【図１５】従来例の照明器具本体の正面図である。
【図１６】従来例の照明器具本体の底面図である。
【発明を実施するための形態】
【００１５】
以下、本発明の実施の形態を図面を参照して詳細に説明する。図１は本発明の照明器具本体１の斜め上から見た斜視図を示し、図２は照明器具本体１の上面部分が良く分かるように斜め上から見た斜視図を示している。
また、図３は照明器具本体１の正面図を、図４は照明器具本体１の平面図を、図５は照明器具本体１の底面図をそれぞれ示している。図６は照明器具本体１の要部拡大斜視図を示している。
【００１６】
照明器具本体１は、図１〜図３に示すように、口金本体２と、器具本体３と、前記口金本体２より器具本体３を吊設する吊設体４とで構成されている。器具本体３の外殻を構成している金属製のケーシング５は略円板状に形成されていて、ケーシング５の中央には筒部６が一体に突設されている。
また、ケーシング５の上面には前記筒部６を中心として放熱フィン７が放射状に所定の間隔をあけて一体に形成されており、また、放熱フィン７の先端はリング体１０が配設されている。このリング体１０の内面と各放熱フィン７の先端面とは一体に固着されていて、器具本体３の剛性を確保している。
【００１７】
器具本体３のケーシング５の内部には、円板状の基板が設けられており、この基板には多数の発光ダイオードが実装されている。ケーシング５の下面は図３及び図５に示すように、円板状のカバー１１が配設されている。なお、このカバー１１は透光性であり、レンズを設ける場合や、レンズを設けない場合もある。
また、各発光ダイオードを駆動点灯するための電源部をケーシング５内、例えば筒部６の内部に配設する場合や、電源部を外付けする場合もある。この電源部を外付けする場合では、口金本体２には直流電源が供給されることになる。
【００１８】
図６に示すように、ケーシング５の筒部６の上面にはフタ体１２がボルト１３によりネジ止めされて固定されている。フタ体１２には穴１４が穿孔されていて、この穴１４を介して電源コード１５が挿通されている。この電源コード１５の一端側は器具本体３の電源部に接続され、電源コード１５の他端側は口金本体２の電極に接続されている。
また、図６に示すように、フタ体１２の上面にはフック部１６が一体に形成されていて、このフック部１６に吊設体４の下端部が連結されるようになっている。
【００１９】
なお、本照明器具本体１は後述するようにセード（傘）を付けて使用する場合に、吊設体４で吊られている器具本体３が地震などで揺れてセードに当たらないように図１〜図３に示すように、バネ１７を用いている。
このバネ１７は、帯状で偏平に形成され、全体として略円弧状に形成されている。バネ１７の基部は器具本体３に取り付けられ、先端はセードの内面に当たってもセードを傷つけないように曲成されている。
【００２０】
図２及び図４に示すように、バネ１７の基部は隣り合う放熱フィン７の間隔が狭くなっているので、その形状に対応させて狭く形成されている。２枚のバネ１７はネジ２０によりケーシング５の上面にネジ止めして固定されている。
また、他の２枚のバネ１７は、落下防止用としてワイヤーをかけるアイボルトと呼ばれているボルト２１を利用してネジ２０の場合と同様にバネ１７をケーシング５に固定している。なお、図６に示すように、ボルト２１の上部のリング２２に落下防止用のワイヤーをかけるものである。
【００２１】
次に、口金本体２の構成ないし構造について図７〜図１１により説明する。図７は口金本体２の平面図を示し、図８は図７のＡ−Ａ断面図を示している。また、図９は口金本体２の底面図を、図１０は口金本体２の正面図を、図１１は口金本体２の側面図をそれぞれ示している。
【００２２】
口金本体２は、図８、図１０及び図１１に示すように、中央のケース本体３０と、このケース本体３０の上部に固定される口金部３６と、ケース本体３０の下部に固定される吊設部４３とで構成されている。
【００２３】
口金本体２の金属製のケース本体３０は円筒状で上下を貫通した構成となっており、また図９に示すように、ケース本体３０は２つに分割した半割体３０ａ、３０ｂからなっている。
半割体３０ａ、３０ｂのそれぞれの一方側にはネジ３１を挿通させるための挿通孔３２が底面を閉塞して上下にそれぞれ形成されており、この底面にネジ３１のネジ部を挿入させる穴３３が穿孔されている。半割体３０ａ、３０ｂの他方側にはネジ３１を螺進させてネジ部と螺着するねじ穴３４が上下にそれぞれ螺刻されている。
【００２４】
図８及び図１１に示すように、ケース本体３０の半割体３０ａ、３０ｂの上部の周囲には上部周溝３５が凹設されており、また、半割体３０ａ、３０ｂの下部の周囲には下部周溝３６が凹設されている。
【００２５】
口金本体２のケース本体３０の上面には電源側と接続される口金部３６が配設され、この口金部３６は図８に示すように、上下を貫通し略円筒状でセラミックなどの絶縁材からなる本体部３７と、この本体部３７の上部の外周面のネジ部の外面に装着されているネジ状の電極４０と、本体部３７の上面に凸状の電極４１とで構成されている。
【００２６】
本体部３７の下部は下方に至るほど拡開しており、下端部の周縁は外方に突出したフランジ部４２が一体に形成されている。このフランジ部４２の厚みと半割体３０ａ、３０ｂの上部周溝３５の高さ寸法とほぼ同様に形成されている。
一方の半割体３０ａの上部周溝３５に口金部３６のフランジ部４２を挿入し、他方の半割体３０ｂを一方の半割体３０ａに合わせるようにしてフランジ部４２を他方の半割体３０ｂの上部周溝３５をフランジ部４２に挿入する。そして、両半割体３０ａ、３０ｂを合わせた状態でネジ３１を挿通孔３２を介してねじ穴３４に螺着することで、口金部３６がケース本体３０の上部に固定されることになる。
【００２７】
図８〜図１１に示すように、ケース本体３０の下部に固定される吊設部４３は材料を金属製としており、吊設部４３の下部は所定の厚みを有して略Ｕ字状に形成されたフック部４４としている。吊設部４３の上部は略リング状に形成されており、上部の周縁には断面を略Ｌ型としたフランジ部４５を形成している。
フランジ部４５の周縁の厚みはケース本体３０の下部周溝３６の高さ寸法とほぼ同様としており、吊設部４３のフランジ部４５をケース本体３０の下部周溝３６に嵌めて両半割体３０ａ、３０ｂをネジ止めすることで、吊設部４３がケース本体３０に固定されるようになっている。
【００２８】
図８に示すように、器具本体３からの電源コード１５の先端部分を吊設部４３のフック部４４の上部に穿孔した穴４６に挿通させ、さらに、ケース本体３０内では押さえ金具４７にて電源コード１５を保持固定している。電源コード１５の２本のコードは電極４０、４１にそれぞれ接続されている。
【００２９】
本実施形態では、従来のように口金本体２と器具本体３とを一体的に構成するのではなく、器具本体３を長さ全体としては柔軟な吊設体４により口金本体２から吊設している。吊設体４としては、例えばチェーンを用いている。
図６に示すように、吊設体４の下端のリング５０は略Ｃ字状に形成されており、このリング５０を器具本体３のフック部１６に係止し、ナット５１をネジ部に螺着することで、吊設体４の下端と器具本体３とが連結される。
【００３０】
また、図３に示すように、吊設体４の上端のリング５２も下端のリング５０と同様の構造となっていて、リング５２を口金本体２のフック部４４に挿入係止し、ナット５３にてリング５２と螺着することで、口金本体２と吊設体４とが連結されることになる。
【００３１】
なお、吊設体４として実施形態では、チェーンの場合を例として挙げたが、チェーンに限られるものではない。例えば、吊設体４として、ワイヤー、ロープを用いても良い。
【００３２】
図１２は、天井面から垂設されているソケット本体５４に照明器具本体１を装着した場合の正面図を、図１３は斜め上から見た斜視図をそれぞれ示している。また、図１４は照明器具本体１にセード５５を付けた場合の断面図を示している。
【００３３】
セード５５を照明器具本体１に付ける場合は、セード５５の上面に穿孔している穴５６に照明器具本体１の口金本体２の口金部３６を挿通する。口金部３６の本体部３７の下部は下方に至るほど拡開しているので、この部分でセード５５が保持される。
そして、口金部３６をソケット本体５４内のソケット５７に螺着することで、セード５５付きの照明器具本体１がソケット本体５４に設置されることになる。
【００３４】
照明器具本体１にセード５５を装着した場合、照明器具本体１のバネ１７の先端部分はセード５５の内面に近接ないし接触する。バネ１７の先端がセード５５の内面に接触しても、バネ１７の先端は曲成しているので、セード５５の内面を傷つけることもない。
なお、照明器具本体１にセード５５を付けない場合には、バネ１７は最初から取り付けない。
【００３５】
ここで、地震による強い振動により照明器具本体１が大きく揺れても、全体として柔軟な吊設体４により応力を逃がすことで、口金本体２には応力がかからず口金本体２を破損することもなく、地震等の振動に対して強固な照明器具本体１を提供することができる。
また、器具本体３を吊設体４、例えば、チェーン、ワイヤー、ロープ等で口金本体２から吊設しているので、器具本体と樹脂製の筒体とが一体的となっていた従来例と比べて熱に対して強固になる。
【００３６】
なお、口金本体２の口金部３６の上部は既存の口金と同じ形状としているので、既存のソケット本体５４に設置することができ、既設の設備を流用することができる。
なお、ソケット５７を内部に備えたソケット本体５４の形状は、該ソケット本体５４の形状に限定されるものではなく、一般的なソケット５７の形状であれば、設置面にソケット５７が既設されている場合にも本発明を適用することができる。
【００３７】
また、地震等によりセード５５付きの照明器具本体１が揺れた場合、バネ１７を設けていない場合では、器具本体３とセード５５とが接触してセード５５を傷つける恐れがある。しかし、バネ１７を設けていることで、照明器具本体１が揺れてもセード５５と器具本体３との接触を防いでセード５５を傷つけることもない。
【符号の説明】
【００３８】
１  照明器具本体
２  口金本体
３  器具本体
４  吊設体
５７  ソケット
【図１】
2018055956.tif 000003
【図２】
2018055956.tif 000004
【図３】
2018055956.tif 000005
【図４】
2018055956.tif 000006
【図５】
2018055956.tif 000007
【図６】
2018055956.tif 000008
【図７】
2018055956.tif 000009
【図８】
2018055956.tif 000010
【図９】
2018055956.tif 000011
【図１０】
2018055956.tif 000012
【図１１】
2018055956.tif 000013
【図１２】
2018055956.tif 000014
【図１３】
2018055956.tif 000015
【図１４】
2018055956.tif 000016
【図１５】
2018055956.tif 000017
【図１６】
2018055956.tif 000018